(57)【要約】【課題】  給電ケーブルを含めたケーブル受け籠をケーブル受け籠ごとに任意のバトンへ簡便かつ容易に移動し給電することができる演出空間用給電装置を提供する。【解決手段】  演出空間の天井部１２からワイヤー１４で昇降可能に支持されたバトン１１を有し、このバトン１１上には、給電コネクタボックス１９に着脱可能に接続される給電ケーブル２０を収納するケーブル受け籠２１が着脱可能に設置されている。ケーブル受け籠２１は、スノコ１７のケーブル通過部１７１を通して垂下される給電ケーブル２０を支えるケーブル支持機構２２と、ケーブル受け籠２１を含むバトン１１が一定量上昇移動された状態でケーブル支持機構２２を給電ケーブルごと持ち上げ当該ケーブル支持機構２２のスノコ１７への係合を解除可能にする持ち上げ機構とを備える構成にした。【選択図】  図１
2010005195.tif 000002
【特許請求の範囲】
【請求項１】
演出空間に水平方向に所定間隔で配列され、かつ前記演出空間の天井部から垂下されたワイヤーで昇降可能に支持された美術及び照明用の複数のバトンと、
前記ワイヤーを巻上げまたは巻戻すことで前記複数のバトンを別々に昇降させる巻上機構と、
前記演出空間の天井部より下方で、かつ前記バトンより上方に位置する前記演出空間の箇所に配設されたスノコを有し、
少なくとも前記照明用のバトンに吊り下げられた演出用電気機器に電力を供給する演出空間用給電装置であって、
前記演出空間の天井部に前記バトンの長手方向と直交する方向に一定の間隔で前記スノコの長手方向に延在して配設され、かつ複数の第１給電コネクタボックスを有する複数の配線用ワイヤリングダクトと、
前記給電コネクタボックスに一端が着脱可能に接続され他端側が前記スノコに設けたケーブル通過部を通して垂下された給電ケーブルと、
前記バトン上に着脱可能に設置され前記給電ケーブルを収納するケーブル受け籠と、
前記ケーブル受け籠に設けられ前記演出用電気機器が着脱可能に接続されるとともに前記給電ケーブルを通して供給される電力を前記演出用電気機器に供給する第２給電コネクタボックスと、
前記ケーブル通過部に隣接する前記スノコに係合することで該スノコに吊下状態に支持され前記ケーブル通過部を通して垂下される前記給電ケーブルの部分を支えるケーブル支持機構と、
前記ケーブル受け籠に設けられ該ケーブル受け籠を含む前記バトンが前記巻上機構により一定量上昇移動された状態で前記ケーブル支持機構を前記給電ケーブルごと持ち上げ当該ケーブル支持機構の前記スノコへの係合を解除可能にする持ち上げ機構とを備える、
ことを特徴とする演出空間用給電装置。
【請求項２】
前記ケーブル支持機構は、前記ケーブル通過部を通して垂下される前記給電ケーブルの両サイドに該給電ケーブルの長手方向に延在して平行に配置された一対の連結部材と、前記一対の連結部材の上端に設けられ該一対の連結部材に前記給電ケーブルを固定する第１固定具と、前記一対の連結部材の下端部間に支持ピンを介して設けられ前記給電ケーブルがループ状に巻き掛けられるケーブル固定碍子と、前記ケーブル固定碍子に巻き掛けられた前記給電ケーブルが前記ケーブル固定碍子に固定された状態に保持する第２固定具と、前記一対の連結部材に該連結部材を中心にして回転可能に設けられ前記ケーブル通過部に隣接する前記スノコに係合する状態及び前記ケーブル通過部を通過し得る状態に切り替えられる一対の係合部材とを備え、
前記持ち上げ機構は、前記支持ピンの両端に下方から係合して前記ケーブル支持機構を持ち上げ可能に支持する一対の係合部を有する、
ことを特徴とする請求項１記載の演出空間用給電装置。
【請求項３】
前記ケーブル受け籠は該ケーブル受け籠を前記バトン上に着脱可能に保持する保持手段を備えることを特徴とする請求項１記載の演出空間用給電装置。
【請求項４】
前記ケーブル受け籠は前記ワイヤーに係脱可能に連結されて該ケーブル受け籠の転倒を防止する転倒防止部材を備えることを特徴とする請求項１または３記載の演出空間用給電装置。
【発明の詳細な説明】
【技術分野】
【０００１】
本発明は、劇場、ＴＶスタジオ、ホールなどの演出空間に設置される照明器具、音響機器や効果機器などの演出用電気機器への給電に用いられる給電装置に関し、さらに詳しくは、演出空間の天井から吊り下げられるバトンに取り付けられた演出用電気機器に給電するためのケーブルを、これが収納されるケーブル受け籠ごと任意のバトンに移動できるようにしたケーブル受け籠方式の演出空間用給電装置に関する。
【背景技術】
【０００２】
劇場やＴＶスタジオ、ホールなどの演出空間の上部、例えば舞台の天井部分には、スノコやその他の構造体により昇降機構や給電器などの設置面が構築され、この設置面上に配設された電動巻上機により巻上げ及び巻戻しがなされるワイヤーで昇降自在に支持された美術バトンや照明バトンなどが舞台の前後方向（奥行き方向）に所定の間隔で複数吊り下げ配置されている。
【０００３】
美術バトンは、幕類や舞台装置、大道具などの美術道具類を吊り下げるためのものであり、照明バトンは、照明器具や音響機器などの演出用電気機器を吊り下げるためのものであり、このように各バトンは目的に応じた専用のバトンを構成する。
【０００４】
ケーブル受け籠方式の給電装置は、照明バトンに組み込まれた、演出用電気機器に電力を供給するためのコンセントを有するフライダクトと、照明バトン上に設置されたケーブル受け籠と、舞台天井のスノコ上に設置された給電コネクタボックスと、給電コネクタボックスとフライダクトとの間に配線され、照明バトンに吊り下げられた演出用電気機器にコンセントを通して給電する給電用ケーブルとを備える（特許文献１参照）。
【０００５】
ケーブル受け籠は照明バトンと一体に昇降移動されるもので、演出用電気機器を含む照明バトンの上昇時に生じる給電用ケーブルの余剰部分はケーブル受け籠内に折り畳み状態に収納され、そして、照明バトンを含む演出用電気機器が下降される時は、折り畳まれた給電用ケーブルの余剰部分がケーブル受け籠から繰り出されように構成されている。
【０００６】
従来、美術バトンを照明バトンに転用できるようにする先行技術として、スノコ上に案内レールを舞台の奥行き方向に延在して配設し、給電コネクタボックス、給電用ケーブル、ケーブル受け籠、ケーブル受け籠昇降装置などを含む給電装置を上記案内レール上に移動可能に設置し、この給電装置を案内レールに沿い舞台の奥行き方向に移動して任意の美術バトン上にケーブル受け籠を載置した後、このケーブル受け籠を昇降装置から切り離すようにした給電装置が知られている（特許文献２参照）。
【０００７】
また、美術バトンの照明バトンへの転用技術として、照明器具の取付部を備え相互に連結・分離可能に形成されたライトブリッジフレームを任意のバトンに取り付けるようにした舞台用ライトブリッジが知られている（特許文献３参照）。
【特許文献１】特開平１１−１５７７５４号公報
【特許文献２】特開２００６−０００１８６号公報
【特許文献３】特開平０９−２６５８０４号公報
【発明の開示】
【発明が解決しようとする課題】
【０００８】
劇場やホール等では、通常照明バトンや美術バトンなどのバトンが合わせて３０〜４０本程度設備されており、そして、これらのバトンは、照明バトンや美術バトンとして、その目的に応じた専用バトンとされている。
【０００９】
しかしながら、オペラやミュージカルなどの演目に応じた多種多彩な照明プランを可能にするためには、美術バトンも照明バトンとして使用し、照明器具をある位置から望む方向へ照射させる要求があり、この要求を実現するためには、照明器具に電力を供給するケーブルをケーブル受け籠ごと分離できる給電装置が必要になる。
【００１０】
一方、特許文献２に示された給電装置では、昇降装置を含む給電装置全体を案内レールに沿い移動し、ケーブル受け籠を任意の美術バトン上に載置した後、このケーブル受け籠を昇降装置から切り離すように構成しているため、任意のバトンを照明バトンとして利用することができる。
【００１１】
しかし、このような方式の給電装置では、昇降装置を含む給電装置全体を舞台の奥行き方向に移動させるための案内レール、昇降装置を案内レールに沿って舞台の奥行き方向に移動させるための移動装置、及び給電用ケーブルの余剰処理のためのケーブル受け枠がそれぞれ必要であるため、舞台上部の機構が複雑で大掛かりとなり、コスト高になるという問題がある。
【００１２】
また、特許文献３に示されたライトブリッジでは、通常のバトンに取り付けることができ、かつ吊り下げ位置を自由に選択できるが、その反面、ライトブリッジの非使用時は、これを構成するライトブリッジフレームを格納しておく格納庫が必要となり、ライトブリッジフレームの保管管理が面倒になるという問題がある。また、照明器具に電力を供給する手段が開示されておらず、実用上の問題がある。
【００１３】
本発明は、上記のような従来の問題を解決するためになされたもので、給電ケーブルを含めたケーブル受け籠をケーブル受け籠ごとに任意のバトンへ簡便かつ容易に移動し給電することができる演出空間用給電装置を提供することを目的とする。
【課題を解決するための手段】
【００１４】
上記目的を達成するために本発明の演出空間用給電装置は、演出空間に水平方向に所定間隔で配列され、かつ前記演出空間の天井部から垂下されたワイヤーで昇降可能に支持された美術及び照明用の複数のバトンと、前記ワイヤーを巻上げまたは巻戻すことで前記複数のバトンを別々に昇降させる巻上機構と、前記演出空間の天井部より下方で、かつ前記バトンより上方に位置する前記演出空間の箇所に配設されたスノコを有し、少なくとも前記照明用のバトンに吊り下げられた演出用電気機器に電力を供給する演出空間用給電装置であって、前記演出空間の天井部に前記バトンの長手方向と直交する方向に一定の間隔で前記スノコの長手方向に延在して配設され、かつ複数の第１給電コネクタボックスを有する複数の配線用ワイヤリングダクトと、前記給電コネクタボックスに一端が着脱可能に接続され他端側が前記スノコに設けたケーブル通過部を通して垂下された給電ケーブルと、前記バトン上に着脱可能に設置され前記給電ケーブルを収納するケーブル受け籠と、前記ケーブル受け籠に設けられ前記演出用電気機器が着脱可能に接続されるとともに前記給電ケーブルを通して供給される電力を前記演出用電気機器に供給する第２給電コネクタボックスと、前記ケーブル通過部に隣接する前記スノコに係合することで該スノコに吊下状態に支持され前記ケーブル通過部を通して垂下される前記給電ケーブルの部分を支えるケーブル支持機構と、前記ケーブル受け籠に設けられ該ケーブル受け籠を含む前記バトンが前記巻上機構により一定量上昇移動された状態で前記ケーブル支持機構を前記給電ケーブルごと持ち上げ当該ケーブル支持機構の前記スノコへの係合を解除可能にする持ち上げ機構とを備えることを特徴とする。
【００１５】
請求項２の発明は、請求項１記載の演出空間用給電装置において、前記ケーブル支持機構は、前記ケーブル通過部を通して垂下される前記給電ケーブルの両サイドに該給電ケーブルの長手方向に延在して平行に配置された一対の連結部材と、前記一対の連結部材の上端に設けられ該一対の連結部材に前記給電ケーブルを固定する第１固定具と、前記一対の連結部材の下端部間に支持ピンを介して設けられ前記給電ケーブルがループ状に巻き掛けられるケーブル固定碍子と、前記ケーブル固定碍子に巻き掛けられた前記給電ケーブルが前記ケーブル固定碍子に固定された状態に保持する第２固定具と、前記一対の連結部材に該連結部材を中心にして回転可能に設けられ前記ケーブル通過部に隣接する前記スノコに係合する状態及び前記ケーブル通過部を通過し得る状態に切り替えられる一対の係合部材とを備え、前記持ち上げ機構は、前記支持ピンの両端に下方から係合して前記ケーブル支持機構を持ち上げ可能に支持する一対の係合部を有することを特徴とする。
【発明の効果】
【００１６】
本発明の演出空間用給電装置によれば、給電ケーブルが配線用ワイヤリングダクトから分離可能であり、かつケーブル受け籠がバトンに対して着脱可能であり、これにより、照明器具等の演出用電気機器に電力供給する給電ケーブルを含むケーブル受け籠をケーブル受け籠ごとに任意のバトンへ簡便かつ容易に移動し給電することができ、美術バトンを照明バトンに容易に転用することができるとともに、照明演出において多様な演出効果を得ることができる。
【発明を実施するための最良の形態】
【００１７】
（実施の形態１）
次に、本発明にかかる演出空間用給電装置の実施の形態について図面を参照して説明する。なお、本発明の演出空間用給電装置は、以下に説明する実施の形態に限定されるものではない。
【００１８】
図１は本実施の形態における演出空間用給電装置の一部を拡大して示す正面図、図２は本実施の形態における演出空間用給電装置の一部を拡大して示す側面図、図３は本実施の形態におけるケーブル支持機構の拡大正面図、図４は本実施の形態におけるケーブル支持機構の拡大側面図、図５は本実施の形態におけるケーブル受け籠の拡大正面図、図６は図５に示すケーブル受け籠の側面図である。
【００１９】
本実施の形態に示す演出空間用給電装置が適用される劇場やホール等の演出空間には、図１及び図２に示すように、バトン１１が演出空間の天井部１２から複数の滑車１３を介して垂下された複数のワイヤー１４により水平かつ昇降可能に支持されている。また、複数のワイヤー１４は演出空間の天井部１２に設置した巻上機構１５に連結され、ワイヤー１４を巻上げまたは巻戻すことでバトン１１を昇降させるように構成されている。
【００２０】
このようなバトン１１は複数備え、これら複数のバトン１１は演出空間の前後方向にわたり所定の間隔で平行に配列されている。また、複数のバトン１１のうち、その一部のバトンは、幕類や舞台装置、大道具等の美術道具を取り付ける美術用のバトンに使用され、残りのバトンは、照明器具等の演出用電気機器１６を吊り下げる照明用のバトンとして使用できるようになっている。なお、巻上機構１５及びワイヤー１４はバトン１１ごとに別々設けられている。
【００２１】
演出空間の天井部１２より下方で、かつバトン１１より上方に位置する演出空間の箇所には、図１及び図２に示すように、バトン１１の長手方向と直交する方向に延在するスノコ１７が配設されている。
【００２２】
本実施の形態に示す演出空間用給電装置は、配線用ワイヤリングダクト１８、第１給電コネクタボックス１９、給電ケーブル２０、ケーブル受け籠２１、ケーブル支持機構２２、持ち上げ機構２３など備える。
【００２３】
配線用ワイヤリングダクト１８は、照明用バトンとして使用される複数のバトンの演出用電気機器１６に給電ケーブル２０を介して電力を供給する配電用ケーブルを配線のためのダクトであり、この配線用ワイヤリングダクト１８は、図１及び図２に示すように、演出空間の天井部１２にバトン１１の長手方向と直交する方向に一定の間隔でスノコ１７の長手方向に延在して配設されている。また、複数の配線用ワイヤリングダクト１８は、複数の第１給電コネクタボックス１９を備える。
【００２４】
給電ケーブル２０は、バトン１１に吊り下げられた演出用電気機器１６に配線用ワイヤリングダクト１８から電力を供給するためのもので、この給電ケーブル２０の一端は、図１及び図２に示すように、コネクタ２４を介して第１給電コネクタボックス１９に着脱可能に接続されている。
【００２５】
また、給電ケーブル２０の他端側は、スノコ１７に設けたケーブル通過部１７１を通してバトン１１に向け垂下される。
【００２６】
ケーブル受け籠２１は、給電ケーブル２０を収納するもので、バトン１１上に着脱可能に設置される。このケーブル受け籠２１は、演出用電気機器１６を含むバトン１１の上昇時に生じる給電用ケーブル２０の余剰部分２０ａを左右方向にジグザグ状に折り曲げられた状態にしてケーブル受け籠２１内に収容し、そして、バトン１１が下降される時は、給電用ケーブル２０の余剰部分２０ａがケーブル受け籠２１から繰り出されように構成されている。
【００２７】
また、ケーブル受け籠２１は、ケーブル受け籠２１をバトン１１上に着脱可能に設置する保持手段２５を備えている。
【００２８】
この保持手段２５は、図１、図５及び図６に示すように、ケーブル受け籠２１の下面に突設した複数の係合部２５１と、バトン１１に形成され、上記複数の係合部２５１が別々に係脱される係合穴２５２とから構成されている。
【００２９】
さらに、ケーブル受け籠２１の左右両側には、ワイヤー１４に係脱可能に連結されてケーブル受け籠２１の転倒を防止する一対の転倒防止部材２６が設けられている。
【００３０】
また、ケーブル受け籠２１は、第２給電コネクタボックス２７を備えている。
【００３１】
この第２給電コネクタボックス２７には、配線用ワイヤリングダクト１８から給電ケーブル２０を通して電力が供給できるように給電ケーブル２０の垂下端が接続され、さらに、第２給電コネクタボックス２７には、照明器具や移動型調光器等の演出用電気機器１６が図示省略のコネクタを介して接続されるとともに給電ケーブル２０を通して供給される電力を演出用電気機器１６に供給できるように構成されている。
【００３２】
ケーブル支持機構２２は、図１及び図２に示すように、ケーブル通過部１７１に隣接するスノコ１７に、その上面から係合することでスノコ１７に吊下げ状態に支持され、同時にケーブル通過部１７１を通して垂下される給電ケーブル２０の垂下部分２０ｂを支えるものである。
【００３３】
ケーブル支持機構２２は、図１、図３及び図４に示すように、ケーブル通過部１７１を通して垂下される給電ケーブル２０の垂下部分２０ｂの両サイドに該垂下部分２０ｂの長手方向に延在して平行に配置された一対のロッド状の連結部材２２１を備える。
【００３４】
この一対の連結部材２２１の上端は第１固定具２２２を介して給電ケーブル２０に固定されている。また、一対の連結部材２２１の下端部間には支持ピン２２３を介してケーブル固定碍子２２４が設けられている。
【００３５】
ケーブル固定碍子２２４には、給電ケーブル２０の垂下部分２０ｂがループ状に巻き掛けられ、この垂下部分２０ｂの巻き掛け部分はケーブル固定碍子２２４から外れないように第２固定具２２５によって固定されている。
【００３６】
また、一対の連結部材２２１の上端部分には、チャンネル材からなる一定長さの係合部材２２６がそれぞれ連結部材２２１を中心にして軸周りに回転可能に設けられている。この一対の係合部材２２６は、ケーブル通過部１７１に隣接するスノコ１７上に係合する状態、すなわち係合部材２２６がスノコ１７と直交し、かつケーブル通過部１７１を通過できないケーブル通過部１７１と直交する姿勢、及びケーブル通過部１７１を通過し得る状態、すなわち係合部材２２６がスノコ１７と平行で、かつケーブル通過部１７１を通過し得るケーブル通過部１７１と平行な姿勢に切り替えられるように構成されている。
【００３７】
持ち上げ機構２３は、ケーブル受け籠２１を含むバトン１１が巻上機構１５により一定量上昇移動された状態でケーブル支持機構２２を給電ケーブル２０ごと持ち上げ、ケーブル支持機構２２の一対の係合部材２２６をスノコ１７上から離間して、一対の係合部材２２６の回転操作を可能にするものである。
【００３８】
この持ち上げ機構２３は、図５及び図６に示すように、ケーブル受け籠２１の左右方向の中央部上端から上方へ鉛直に延在して設けられた一対の支持杆２３１と、この一対の支持杆２３１の上端にそれぞれ設けたＵ字状の受け部２３２とから構成されている。
【００３９】
持ち上げ機構２３のＵ字状受け部２３２は、バトン１１を含むケーブル受け籠２１が巻上機構１５により一定量上昇移動された時にケーブル支持機構２２の支持ピン２２３の両端部に支持ピン２２３の下方から係合して、給電ケーブル２０を含むケーブル支持機構２２を持ち上げるようになっている。
【００４０】
上記のように構成された本実施の形態に示す演出空間用給電装置をバトンに吊り下げられた演出用電気機器への給電に使用する場合及び演出空間用給電装置をバトンから取り外して別のバトンまたは他の場所へ移動する場合の動作について、図７〜図９を参照して説明する。
【００４１】
演出空間用給電装置をバトンに吊り下がられた演出用電気機器への給電に使用する場合は、図１及び図７に示すように、演出空間の所定の高さレベル位置にワイヤー１４で吊り下げ状態に支持されたバトン１１上に給電用ケーブル２０を収容したケーブル受け籠２１が保持手段２５により保持され、さらに、一対の転倒防止部材２６によりワイヤー１４に連結されている。そして、ケーブル支持機構２２の一対の係合部材２２６は、ケーブル通過部１７１を通過できないケーブル通過部１７１と直交する姿勢にある。これにより、一対の係合部材２２６の両端をスノコ１７上に係合させて、ケーブル支持機構２２をスノコ１７に吊下げ状態に支持し、同時にケーブル通過部１７１を通して垂下される給電ケーブル２０の垂下部分２０ｂを支える。
【００４２】
かかる状態の給電ケーブル２０はコネクタ２４を介して給電コネクタボックス１９に接続されている。
【００４３】
従って、バトン１１に照明器具や移動型調光器等の演出用電気機器１６を取り付け、これら演出用電気機器１６を第２給電コネクタボックス２７に図示省略のコネクタを介して接続するとともに、配線用ワイヤリングダクト１８から給電ケーブル２０を通して供給される電力を第２給電コネクタボックス２７を介して各種の演出用電気機器１６に供給することにより、演出用電気機器１６を動作させ、多様な演出効果を発揮させ得る。これにより、バトン１１を照明バトンとして使用することができる。
【００４４】
次に、演出空間用給電装置をバトンから取り外して別のバトンまたは他の場所へ移動する場合の動作について述べる。
【００４５】
この場合は、図８に示すように、給電ケーブル２０を第１給電コネクタボックス１９から切り離す。
【００４６】
次いで、ケーブル受け籠２１を含むバトン１１を巻上機構１５のワイヤー巻上げ動作により一定量上昇移動させ、持ち上げ機構２３によりケーブル支持機構２２を給電ケーブル２０ごと持ち上げ、ケーブル支持機構２２の係合部材２２６をスノコ１７上から離間させる。かかる状態において、一対の係合部材２２６を連結部材２２１の軸周りに９０度回転し、連結部材２２１の長さ方向がケーブル通過部１７１の長手方向と一致する姿勢に変更する。これにより、ケーブル支持機構２２を含めた給電ケーブル２０をケーブル通過部１７１を通して下降可能な状態にできる。
【００４７】
その後、巻上機構１５のワイヤー巻戻し動作により、ケーブル受け籠２１を含むバトン１１をさらに降下させ、バトン１１を劇場やホール等の床面近傍まで下げる。これにより、給電ケーブル２０及びケーブル受け籠２１も床面近傍まで降下されるので、バトン１１に取り付けられている照明器具や移動型調光器等の演出用電気機器１６をバトン１１から取り外す。
【００４８】
次いで、図９に示すように、ケーブル受け籠２１の下方に専用の搬送台車３０を配置した後、転倒防止部材２６をワイヤー１４から外し、バトン１１上のケーブル受け籠２１を搬送台車３０の昇降機構３１により持ち上げ、ケーブル受け籠２１をバトン１１から搬送台車３０上に移す。
【００４９】
搬送台車３０上に移されたケーブル受け籠２１は、搬送台車３０によって、他のバトンの真下に移送される。また、ケーブル受け籠２１を使用しない場合は、格納庫へ搬送され収納できる。
【００５０】
１つのバトン１１から取り外した給電ケーブル２０を含むケーブル受け籠２１を他のバトンに装着して、照明用のバトンとして使用する場合は、搬送台車３０上に移載されたケーブル受け籠２１を他のバトンの真下に移動し、搬送台車３０の昇降機構３１によりケーブル受け籠２１を他のバトン上の設置箇所に位置させる。この状態で、他のバトンを、その巻上機構のワイヤー巻上げ操作で僅かに上昇させ、ケーブル受け籠２１を搬送台車３０の載置部より浮かせ、他のバトンの設置箇所にケーブル受け籠２１を移載する。そして、転倒防止部材２６をワイヤー１４に連結する。
【００５１】
かかる状態で、空の搬送台車３０を他のバトンの邪魔にならない移動した後、他のバトンに照明器具や移動型調光器等の演出用電気機器１６を取り付ける。
【００５２】
しかる後、ケーブル受け籠２１を含めた他のバトンを、その巻上機構のワイヤー巻上げ操作で上昇させることにより、持ち上げ機構２３で支持されたケーブル支持機構２２の係合部材２２６をケーブル通過部１７１からスノコ１７の上面より上方へ突出する位置まで上昇させる。その後、図８の状態にある一対の係合部材２２６を連結部材２２１の軸周りに９０度回転して、連結部材２２１の長さ方向がケーブル通過部１７１の長手方向と直交する姿勢に変更する。
【００５３】
その後、巻上機構のワイヤー巻戻し操作でケーブル受け籠２１を含めた他のバトンを希望する高さ位置まで降下させる。これにより、係合部材２２６がスノコ１７の上面に係合し、かつ持ち上げ機構２３のＵ字状受け部２３２がケーブル支持機構２２の支持ピン２２３から離間する。これに伴い、ケーブル支持機構２２がケーブル通過部１７１を通して垂下される給電ケーブル２０の垂下部分２０ｂを支えることになる。その後、給電ケーブル２０をコンセントを介して配線用ワイヤリングダクト１８の第１給電コネクタボックス１９に接続する。
【００５４】
このように演出空間の天井からワイヤーで昇降可能に吊り下げられた任意のバトンに取り付けられる、給電ケーブル２０を含むケーブル受け籠２１をケーブル受け籠２１ごとに希望する任意のバトンに簡便に移動させることができる。これにより、美術バトンを照明バトンに活用することができ、照明演出において多様な演出効果が得られる。
【００５５】
また、専用の搬送台車３０を設けることにより、１つのバトンから取り外した給電ケーブル２０を含むケーブル受け籠２１を他のバトンへ移動することが容易になり、また、バトンから取り外したケーブル受け籠２１を使用しない時は格納庫へ搬送して格納することができる。
【００５６】
図１０及び図１１は本発明にかかる演出空間用給電装置の移送に利用される搬送台車の一例を示すものである。
【００５７】
この図１０及び図１１に示す搬送台車３０は、キャスタ３２付きの基台３３と、この基台３３上に鉛直に設けられた支持枠３４と、この支持枠３４に設けられた昇降機構３１を備える。
【００５８】
昇降機構３１は、支持枠３４に昇降可能に設けられケーブル受け籠２１が載置される載置台３１１と、この載置台３１１は支持枠３４に沿って昇降させる手動式の駆動機構３１２を備えている。
【図面の簡単な説明】
【００５９】
【図１】本実施の形態における演出空間用給電装置の一部を拡大して示す正面図である。
【図２】本実施の形態における演出空間用給電装置の一部を拡大して示す側面図である。
【図３】本実施の形態におけるケーブル支持機構の拡大正面図である。
【図４】本実施の形態におけるケーブル支持機構の拡大側面図である。
【図５】本実施の形態におけるケーブル受け籠の拡大正面図である。
【図６】図５に示すケーブル受け籠の側面図である。
【図７】本実施の形態における演出空間用給電装置をバトンに吊り下げられた演出用電気機器への給電に使用する場合の動作説明図である。
【図８】本実施の形態における演出空間用給電装置をバトンから取り外した場合の動作説明図である。
【図９】本実施の形態における演出空間用給電装置をバトンから取り外して別のバトンまたは他の場所へ移動する場合の動作説明図である。
【図１０】本発明にかかる演出空間用給電装置の移送に使用される搬送台車の正面図である。
【図１１】本発明にかかる演出空間用給電装置の移送に使用される搬送台車の側面図である。
【符号の説明】
【００６０】
１１    バトン、
１２    演出空間の天井部
１４    ワイヤー
１５    巻上機構
１６    演出用電気機器
１７    スノコ
１７１  ケーブル通過部
１８    配線用ワイヤリングダクト
１９    第１給電コネクタボックス
２０    給電ケーブル
２１    ケーブル受け籠
２２    ケーブル支持機構
２３    持ち上げ機構
２５    保持手段
２６    転倒防止部材
２７    第２給電コネクタボックス
３０    搬送台車
３１    昇降機構
【図１】
2010005195.tif 000003
【図２】
2010005195.tif 000004
【図３】
2010005195.tif 000005
【図４】
2010005195.tif 000006
【図５】
2010005195.tif 000007
【図６】
2010005195.tif 000008
【図７】
2010005195.tif 000009
【図８】
2010005195.tif 000010
【図９】
2010005195.tif 000011
【図１０】
2010005195.tif 000012
【図１１】
2010005195.tif 000013